(57)【要約】【課題】    記録媒体の特定領域を指定して記録密度を減らすことが可能なデータ記録システムの記録密度変更方法，ディスクドライブ，記録密度の設定方法，およびデータ記録方法を提供すること。【解決手段】  記録密度を可変させるための領域の範囲を設定するステップと，データリードおよびデータライトが実行される領域が，上記設定された領域の範囲内に含まれるかどうかを判断するステップＳ４３０と，上記判断の結果，上記設定された領域の範囲内に含まれる場合に，連続する複数のトラックのうち，一つのトラックのみをデータトラックに割り当てて，データリードおよびデータライトを実行するステップと，を含むデータ記録システムの記録密度変更方法。【選択図】    図３
2006139902.tif 000002
【特許請求の範囲】
【請求項１】
（ａ）記録密度を可変させるための領域の範囲を設定するステップと；
（ｂ）データリードおよびデータライトが実行される領域である記録領域が，ステップ（ａ）で設定された前記領域の範囲内に含まれるかどうかを判断するステップと；
（ｃ）ステップ（ｂ）の判断結果，前記記録領域が，前記設定された領域の範囲内に含まれる場合に，連続する複数のトラックのうち一つのトラックのみをデータトラックに割り当ててデータライトを実行するか，または，既に割り当てられた前記データトラックに記録されたデータのリードを実行するステップと；
を含むことを特徴とする，データ記録媒体の記録密度可変方法。
【請求項２】
前記複数のトラックは２個のトラックに設定され，前記連続する２個のトラックのうち，一つのトラックのみをデータトラックに割り当てられることを特徴とする，請求項１に記載のデータ記録媒体の記録密度可変方法。
【請求項３】
前記設定された領域の範囲は，ホスト機器を通じて指定された，開始論理ブロックアドレスおよび終了論理ブロックアドレスにより決定されることを特徴とする，請求項１に記載のデータ記録媒体の記録密度可変方法。
【請求項４】
前記設定された領域の範囲を設定するステップは；
ホスト機器から，所定の記録密度変更コマンドと，前記設定された領域の範囲を規定する領域情報とを受信し，前記領域情報を記録するステップと；
前記領域情報が規定する領域に含まれる連続した２個のトラックのうち，一つのトラックのみをデータトラックに割り当てるように，前記記録領域の論理ブロックアドレスと該論理ブロックアドレスに対応した物理的アドレスとを調整するステップと；
初期設定された記録可能な最大論理ブロックアドレスから，前記領域情報が規定する領域の範囲に含まれるブロック数の１／２を引いた値に，最大論理ブロックアドレスを変更するステップと；
を含むことを特徴とする，請求項１に記載のデータ記録媒体の記録密度可変方法。
【請求項５】
前記領域情報をランダムアクセスメモリにローディングするステップをさらに含むことを特徴とする，請求項４に記載のデータ記録媒体の記録密度可変方法。
【請求項６】
ホスト機器とのデータ送受信処理を実行するホストインターフェースと；
情報を保存するディスクと；
前記ホスト機器から伝送される，記録密度変更コマンドおよび所要の領域の範囲を規定する領域情報によって前記領域の範囲を設定し，データリードおよびデータライトが実行される領域である記録領域が，前記設定された領域の範囲内に含まれる場合に，前記ディスクの前記設定された領域の範囲に含まれる連続する複数のトラックのうち，一つのトラックのみをデータトラックに割り当てて，データリードおよびデータライトを実行するように制御するコントローラと；
前記ディスクに情報を記録するか，または前記ディスクから情報を判読する信号処理を実行する記録／判読回路と；
を備えることを特徴とする，ディスクドライブ。
【請求項７】
前記複数のトラックは２個のトラックに設定され，前記連続する２個のトラックのうち一つのトラックのみをデータトラックに割り当てられることを特徴とする，請求項６に記載のディスクドライブ。
【請求項８】
前記領域情報は，開始論理ブロックアドレスおよび終了論理ブロックアドレスを含むことを特徴とする，請求項６に記載のディスクドライブ。
【請求項９】
前記コントローラは，前記領域情報が規定する領域の範囲に含まれる連続する２個のトラックのうち，一つのトラックのみをデータトラックに割り当てるように，論理ブロックアドレスおよび該論理ブロックアドレスに対応した物理的アドレスを調整し，
初期設定された記録可能な最大論理ブロックアドレスから前記領域情報で規定される領域の範囲に含まれるブロック数の１／２を引いた値に，最大論理ブロックアドレスを変更することを特徴とする，請求項６に記載のディスクドライブ。
【請求項１０】
記録密度変更コマンドと，開始論理ブロックアドレスと，終了論理ブロックアドレスとを含む領域情報を受信するステップと；
記録媒体のメンテナンスシリンダーに，前記開始論理ブロックアドレスおよび前記終了論理ブロックアドレスを記録するステップと；
前記領域情報で規定される領域に含まれる，隣接した一対のトラックが一つのデータトラックに結合されるように，データリードおよびデータライトが実行される領域である記録領域の論理ブロックアドレスおよび該論理ブロックアドレスに対応した物理的アドレスを調整するステップと；
前記開始論理ブロックアドレスと前記終了論理ブロックアドレスとで規定される範囲に含まれるブロック数の半分を初期設定された記録可能な最大論理ブロックアドレスから引くことにより得られる値に，最大論理ブロックアドレスを変更するステップと；
を含むことを特徴とする，記録密度の設定方法。
【請求項１１】
データリードおよびデータライトが実行される領域である記録領域の論理ブロックアドレスを含む記録コマンドが受信された場合，記録媒体の所要の領域の範囲を規定する，開始論理ブロックアドレスと終了論理ブロックアドレス，および前記所要の領域の範囲の記録密度，を判読するステップと；
前記受信された記録領域の論理ブロックアドレスが，前記開始論理ブロックアドレスと前記終了論理ブロックアドレスとの間にあるかどうかを判断するステップと；
前記受信された記録領域の論理ブロックアドレスが，前記開始論理ブロックアドレスと前記終了論理ブロックアドレスとの間にある場合，前記所要の領域に含まれる複数の隣接したトラックが，一つのデータトラックに結合されるように，前記受信された記録コマンドに含まれた前記記録領域の論理ブロックアドレスを変更するステップと；
前記変更された記録領域の論理ブロックアドレスを物理的アドレスに変換するステップと；
前記物理的アドレスに対応する目標トラックを探索するステップと；
前記記録媒体の前記目標トラックにデータを記録するステップと；
を含むことを特徴とする，データ記録方法。
【請求項１２】
前記変更ステップで前記規定された領域の記録密度が半分に減るように，隣接した一対のトラックが一つのデータトラックに結合されることを特徴とする，請求項１１に記載のデータ記録方法。
【請求項１３】
前記変更ステップで前記規定された領域の記録密度が１／３に減るように，連続した３個のトラックが一つのデータトラックに結合されることを特徴とする，請求項１１に記載のデータ記録方法。
【請求項１４】
前記受信された記録領域の論理ブロックアドレスが，前記開始論理ブロックアドレスと終了論理ブロックアドレスとの間になければ，前記受信された論理ブロックアドレスを変更せずに記録するステップをさらに含むことを特徴とする，請求項１１に記載のデータ記録方法。
【請求項１５】
データリードおよびデータライトが実行される領域である記録領域を規定する論理ブロックアドレスを含む記録コマンドが受信された場合，記録媒体の所要の領域の範囲を規定する，開始論理ブロックアドレスと終了論理ブロックアドレス，および前記所要の領域の範囲の記録密度，を判読するステップと；
前記受信された記録領域の論理ブロックアドレスが，前記開始論理ブロックアドレスと前記終了論理ブロックアドレスとの間にあるかどうかを判断するステップと；
前記受信された記録領域の論理ブロックアドレスが，前記開始論理ブロックアドレスと前記終了論理ブロックアドレスとの間にある場合，前記所要の領域に含まれる複数の隣接したトラックを一つのデータトラックに結合させて前記領域の記録密度を減らすステップと；
前記変更された記録領域の論理ブロックアドレスを物理的アドレスに変換し，前記物理的アドレスに対応する前記記録媒体の目標トラックにデータを記録するステップと；
を含むことを特徴とする，データ記録方法。
【発明の詳細な説明】
【技術分野】
【０００１】
本発明は，データ記録媒体の記録密度可変方法，それを利用したディスクドライブ，記録密度の設定方法，およびデータ記録方法に関する。
【背景技術】
【０００２】
一般的に，データ記録装置の一つであるハードディスクドライブ（Ｈａｒｄ  Ｄｉｓｋ  Ｄｒｉｖｅ：ＨＤＤ）は，磁気ヘッドによりディスクから／にデータを判読／記録することによってコンピュータシステムの運用に寄与する。上記ＨＤＤは，次第に，高容量化，高密度化および小型化されつつあり，ディスク回転方向の記録密度であるＢＰＩ（Ｂｉｔ  Ｐｅｒ  Ｉｎｃｈ）および，直径方向の記録密度であるＴＰＩ（Ｔｒａｃｋ  Ｐｅｒ  Ｉｎｃｈ）が増大しつつあることから，さらに精巧なメカニズムが要求される。
【０００３】
ＨＤＤを利用する機器において，上記ＨＤＤのディスクの特定領域（例えば，ＦＡＴ（Ｆｉｌｅ  Ａｌｌｏｃａｔｉｏｎ  Ｔａｂｌｅ））に対し，反復してアクセスする現象が発生する。このような場合に，上記特定領域にデータを記録する過程で当該領域の磁化が非常に強くなり，隣接領域のデータが消される可能性がある。ＦＡＴのような主要領域のデータが消されたときには，上記機器の使用に致命的な問題を引き起こしてしまう。
【０００４】
従来の技術では，このような問題に対処するため，製造工程においてディスクの一定領域の記録密度を減少させるという方法が採られていた。
【発明の開示】
【発明が解決しようとする課題】
【０００５】
しかし，上記従来技術によれば，製造時にディスクの記録密度が固定されるため，上記ＨＤＤを使用するユーザ側では，使用用途に応じて，自由に特定領域を指定し，該領域の記録密度を減らすことができないという問題がある。
【０００６】
そこで，本発明は，上記問題に鑑みてなされたものであり，本発明の目的とするところは，製造工程上の変更なしにユーザが記録媒体の特定領域を指定して記録密度を減らすことが可能な，新規かつ改良されたデータ記録媒体の記録密度可変方法，それを利用したディスクドライブ，記録密度の設定方法，およびデータ記録方法を提供することにある。
【課題を解決するための手段】
【０００７】
上記課題を解決するために，本発明のある観点によれば，記録密度を可変させるための領域の範囲を設定するステップと；データリードおよびデータライトが実行される領域である記録領域が，上記設定された領域の範囲内に含まれるかどうかを判断するステップと；上記記録領域が，上記設定された領域の範囲内に含まれる場合に，連続する複数のトラックのうち一つのトラックのみをデータトラックに割り当ててデータライトを実行するか，または，既に割り当てられた上記データトラックに記録されたデータのリードを実行するステップと；を含むことを特徴とする，データ記録媒体の記録密度可変方法を提供する。
【０００８】
上記複数のトラックは２個のトラックに設定され，上記連続する２個のトラックのうち，一つのトラックのみをデータトラックに割り当てられることで，記録密度を減少させることが可能となる。
【０００９】
上記設定された領域の範囲は，ホスト機器を通じて指定された，開始論理ブロックアドレスおよび終了論理ブロックアドレスにより決定されてもよい。
【００１０】
上記設定された領域の範囲を設定するステップは；ホスト機器から，所定の記録密度変更コマンドと，上記設定された領域の範囲を規定する領域情報とを受信し，上記領域情報を記録するステップと；上記領域情報が規定する領域に含まれる連続した２個のトラックのうち，一つのトラックのみをデータトラックに割り当てるように，上記記録領域の論理ブロックアドレスと該論理ブロックアドレスに対応した物理的アドレスとを調整するステップと；初期設定された記録可能な最大論理ブロックアドレスから，上記領域情報が規定する領域の範囲に含まれるブロック数の１／２を引いた値に，最大論理ブロックアドレスを変更するステップと；を含んでいてもよい。
【００１１】
上記領域情報をランダムアクセスメモリにローディングするステップをさらに含んでいてもよい。
【００１２】
また，上記課題を解決するために，本発明の別の観点によれば，ホスト機器とのデータ送受信処理を実行するホストインターフェースと；情報を保存するディスクと；上記ホスト機器から伝送される，記録密度変更コマンドおよび所要の領域の範囲を規定する領域情報によって上記領域の範囲を設定し，データリードおよびデータライトが実行される領域である記録領域が，上記設定された領域の範囲内に含まれる場合に，上記ディスクの上記設定された領域の範囲に含まれる連続する複数のトラックのうち，一つのトラックのみをデータトラックに割り当てて，データリードおよびデータライトを実行するように制御するコントローラと；上記ディスクに情報を記録するか，または上記ディスクから情報を判読する信号処理を実行する記録回路とを備えることを特徴とするディスクドライブが提供される。
【００１３】
上記領域情報は，開始論理ブロックアドレスおよび終了論理ブロックアドレスを含んでいてもよい。
【００１４】
上記コントローラは，上記領域情報が規定する領域の範囲に含まれる連続する２個のトラックのうち，一つのトラックのみをデータトラックに割り当てるように，論理ブロックアドレスおよび該論理ブロックアドレスに対応した物理的アドレスを調整し，初期設定された記録可能な最大論理ブロックアドレスから上記領域情報で規定される領域の範囲に含まれるブロック数の１／２を引いた値に，最大論理ブロックアドレスを変更するとしてもよい。
【００１５】
また，上記課題を解決するために，本発明のさらに別の観点によれば，記録密度変更コマンドと，開始論理ブロックアドレスと，終了論理ブロックアドレスとを含む領域情報を受信するステップと；記録媒体のメンテナンスシリンダーに，上記開始論理ブロックアドレスおよび上記終了論理ブロックアドレスを記録するステップと；上記領域情報で規定される領域に含まれる，隣接した一対のトラックが一つのデータトラックに結合されるように，データリードおよびデータライトが実行される領域である記録領域の論理ブロックアドレスおよび該論理ブロックアドレスに対応した物理的アドレスを調整するステップと；上記開始論理ブロックアドレスと上記終了論理ブロックアドレスとで規定される範囲に含まれるブロック数の半分を初期設定された記録可能な最大論理ブロックアドレスから引くことにより得られる値に，最大論理ブロックアドレスを変更するステップと；を含むことを特徴とする記録密度の設定方法を提供する。
【００１６】
また，上記課題を解決するために，本発明の別の特徴によれば，データリードおよびデータライトが実行される領域である記録領域の論理ブロックアドレスを含む記録コマンドが受信された場合，記録媒体の所要の領域の範囲を規定する，開始論理ブロックアドレスと終了論理ブロックアドレス，および上記所要の領域の範囲の記録密度，を判読するステップと；上記受信された記録領域の論理ブロックアドレスが，上記開始論理ブロックアドレスと上記終了論理ブロックアドレスとの間にあるかどうかを判断するステップと；上記受信された記録領域の論理ブロックアドレスが，上記開始論理ブロックアドレスと上記終了論理ブロックアドレスとの間にある場合，上記所要の領域に含まれる複数の隣接したトラックが，一つのデータトラックに結合されるように，上記受信された記録コマンドに含まれた上記記録領域の論理ブロックアドレスを変更するステップと；上記変更された記録領域の論理ブロックアドレスを物理的アドレスに変換するステップと；上記物理的アドレスに対応する目標トラックを探索するステップと；上記記録媒体の上記目標トラックにデータを記録するステップと；を含むことを特徴とするデータ記録方法が提供される。
【００１７】
上記変更ステップで上記規定された領域の記録密度が半分に減るように，隣接した一対のトラックが一つのデータトラックに結合されてもよい。
【００１８】
上記変更ステップで上記規定された領域の記録密度が１／３に減るように，連続した３個のトラックが一つのデータトラックに結合されてもよい。
【００１９】
上記受信された記録領域の論理ブロックアドレスが，上記開始論理ブロックアドレスと終了論理ブロックアドレスとの間になければ，上記受信された論理ブロックアドレスを変更せずに記録するステップをさらに含んでもよい。
【００２０】
また，上記課題を解決するために，本発明のさらに他の特徴によれば，データリードおよびデータライトが実行される領域である記録領域を規定する論理ブロックアドレスを含む記録コマンドが受信された場合，記録媒体の所要の領域の範囲を規定する，開始論理ブロックアドレスと終了論理ブロックアドレス，および上記所要の領域の範囲の記録密度，を判読するステップと；上記受信された記録領域の論理ブロックアドレスが，上記開始論理ブロックアドレスと上記終了論理ブロックアドレスとの間にあるかどうかを判断するステップと；上記受信された記録領域の論理ブロックアドレスが，上記開始論理ブロックアドレスと上記終了論理ブロックアドレスとの間にある場合，上記所要の領域に含まれる複数の隣接したトラックを一つのデータトラックに結合させて上記領域の記録密度を減らすステップと；上記変更された記録領域の論理ブロックアドレスを物理的アドレスに変換し，上記物理的アドレスに対応する上記記録媒体の目標トラックにデータを記録するステップと；を含むことを特徴とするデータ記録方法を提供する。
【発明の効果】
【００２１】
以上説明したように本発明によれば，ユーザがディスクドライブのディスクの特定領域を指定して記録密度を減らすことができるため，反復するライト動作の影響によって隣接トラックのデータが消される現象を防止できる。
【発明を実施するための最良の形態】
【００２２】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００２３】
図１は，本発明が適用されるＨＤＤ１０の構成を示す。ＨＤＤ１０は，スピンドルモータ１４によって回転する少なくとも一つの磁気ディスク１２を備えている。ＨＤＤ１０は，ディスク表面１８に隣接して位置した変換器１６をさらに備えている。
【００２４】
変換器１６は，それぞれのディスク１２の磁界を感知して磁化させることによって，回転するディスク１２から／に情報を判読／記録できる。通常，変換器１６は，各ディスク表面１８に結合されている。図１には，単一の変換器１６が図示されているが，これは，ディスク１２を磁化させるための記録用変換器と，ディスク１２の磁界を感知するために分離された判読用変換器とを備えている。判読用変換器は，磁気抵抗（ＭＲ：Ｍａｇｎｅｔｏ−Ｒｅｓｉｓｔｉｖｅ）素子から構成される。変換器１６は，通常，ヘッドと呼ばれる。
【００２５】
変換器１６は，スライダー２０に統合されうる。スライダー２０は，変換器１６とディスク表面１８との間に空気軸受を生成させる構造となっている。スライダー２０は，ヘッドジンバルアセンブリ２２に統合されている。ヘッドジンバルアセンブリ２２は，ボイスコイル２６を持つアクチュエータアーム２４に付着されている。ボイスコイル２６は，ボイスコイルモータ（ＶＣＭ：Ｖｏｉｃｅ  Ｃｏｉｌ  Ｍｏｔｏｒ）３０を特定するようにマグネチックアセンブリ２８に隣接して位置している。ボイスコイル２６に供給される電流は，軸受アセンブリ３２に対してアクチュエータアーム２４を回転させるトルクを発生させる。アクチュエータアーム２４の回転は，ディスク表面１８を横切る方向に変換器１６を移動させる。
【００２６】
情報は，通常，ディスク１２の環状トラック内に保存される。各トラック３４は一般に複数のセクターを含んでいる。各セクターは，データフィールド（ｄａｔａ  ｆｉｅｌｄ）および識別フィールド（ｉｄｅｎｔｉｆｉｃａｔｉｏｎ  ｆｉｅｌｄ）を含んでいる。識別フィールドは，セクターおよびトラック（シリンダー）を識別するグレーコードで構成されている。変換器１６は，他のトラックにある情報を判読／記録するためにディスク表面１８を横切る方向に移動する。
【００２７】
図２は，本発明が適用されるディスクドライブの電気的な回路を示す。
【００２８】
図２に示すように，本発明によるディスクドライブは，ディスク１２，変換器１６，プリアンプ２１０，記録／判読チャンネル２２０，バッファ２３０，コントローラ２４０，ＲＯＭ２５０，ＲＡＭ２６０，ＶＣＭ駆動部２７０およびホストインターフェース２８０を備える。
【００２９】
上記のプリアンプ２１０および記録／判読チャンネル２２０を備える回路構成を記録／判読回路と称する。
【００３０】
ＲＯＭ２５０には，ディスクドライブを制御するための各種プログラムおよびデータが記録されている。また，ＲＡＭ２６０には，ブートする度にディスク１２のメンテナンスシリンダー領域から判読した，ディスクドライブ動作に必要なデータがローディングされ，かつ，ホスト機器（図示せず）から記録密度変更コマンドと共に受信される領域情報（開始ＬＢＡ情報および終了ＬＢＡ情報）もローディングされる。
【００３１】
データライト（ＷＲＩＴＥ）モードで，ホストインターフェース２８０を通じてホスト機器から受信されるデータはバッファ２３０に保存される。データリード（ＲＥＡＤ）モードでは，ディスク１２から判読したデータがバッファ２３０に保存される。
【００３２】
プリアンプ２１０は，変換器１６で感知された信号を増幅させる増幅回路と，変換器１６に最適のリードチャンネルパラメータ値によってリード電流を供給するためのリード電流制御回路と，ライト電流を供給するためのライト電流制御回路とを備えている。
【００３３】
まず，一般的なディスクドライブの動作を説明すれば，次の通りである。
【００３４】
データリードモードでは，ディスク１２から変換器１６（ヘッドと称する）によって感知された電気信号は，信号処理が容易になるようにプリアンプ２１０で増幅される。次いで，記録／判読チャンネル２２０では，増幅されたアナログ信号をホスト機器（図示せず）が判読できるデジタル信号に符号化させ，ストリームデータに変換してバッファ２３０に一時保存させた後に，ホストインターフェース２８０を通じてホスト機器に伝送する。
【００３５】
データライトモードでは，ホストインターフェース２８０を通じてホスト機器から入力されたデータが，バッファ２３０に一時保存される。その後，バッファ２３０から出力されたデータは，記録／判読チャンネル２２０によって，記録チャンネルに適したバイナリデータストリームに変換され，プリアンプ２１０によって増幅された記録電流は変換器１６を通じてディスク１２に記録される。
【００３６】
コントローラ２４０は，ホストインターフェース２８０を通じてホスト機器から受信したコマンドを分析して，該コマンドを実行するように制御する。
【００３７】
これにより，コントローラ２４０は，記録密度変更コマンドと，領域情報である開始論理ブロックアドレス（Ｓｔａｒｔ  ＬＢＡ（Ｌｏｇｉｃ  Ｂｌｏｃｋ  Ａｄｄｒｅｓｓ））および終了論理ブロックアドレス（Ｅｎｄ  ＬＢＡ）を受信し，記録密度を変更する領域を設定する。データリードおよびデータライトが実行されるＬＢＡが，上記記録密度を変更する領域内に含まれる場合には，ディスク１２の記録密度を変更する領域が含む連続する複数のトラックのうち，一つのトラックのみをデータトラックに割り当てて，データリードおよびデータライトを実行するように制御する。
【００３８】
本発明の一実施形態として，図５に示すように連続する２個のトラックのうち一つのトラックのみをデータトラックに割り当てる（すなわち，結合させる）方式によって記録密度を減らすように設計することができる。もちろん，本発明の実施形態がこの例に限定されるものではない。例えば，３つ以上のトラックのうちの一つのトラックのみをデータトラックに割り当てることにより記録密度が減少しうる。
【００３９】
そして，コントローラ２４０は，ボイスコイル２６に駆動電流を供給するＶＣＭ駆動部２７０に結合されており，ＶＣＭの駆動および変換器１６の動きを制御するためにＶＣＭ駆動部２７０に制御信号を供給する。
【００４０】
尚，本実施形態にかかるデータ記録媒体の記録密度可変方法について，図３および図４のフローチャートを中心に説明する。
【００４１】
図３は，本実施形態にかかる，データ記録媒体の記録密度が変更される領域の設定方法を示すフローチャートである。図４は，本実施形態にかかる，データ記録媒体の記録密度を変更して，データライトおよびデータリードを実行する方法を示すフローチャートである。
【００４２】
まず，図３のフローチャートと図２のディスクドライブの構成図を参照し，本実施形態にかかるデータ記録媒体の記録密度が変更される領域の設定方法について説明する。
【００４３】
ディスクドライブの特定領域の記録密度を変更する場合に，ホスト機器で出力された記録密度変更コマンドと，上記記録密度を変更する領域を規定する領域情報である，開始論理ブロックアドレス（Ｓｔａｒｔ  ＬＢＡ）および終了論理ブロックアドレス（Ｅｎｄ  ＬＢＡ）と，をディスクドライブに伝送する（Ｓ３１０）。
【００４４】
ホストインターフェース２８０を通じてＨＤＤのコントローラ２４０に記録密度変更コマンドが伝送されると，コントローラ２４０は，ディスク１２のメンテナンスシリンダー領域に記録密度変更コマンドと共に受信された，開始論理ブロックアドレス情報および終了論理ブロックアドレス情報を記録するように制御する（Ｓ３２０）。
【００４５】
次いで，コントローラ２４０は，上記領域情報で指定された領域に含まれた連続する２つのトラックのうち，一つのトラックのみをデータトラックに割り当てるように（すなわち，結合されるように）論理ブロックアドレスと，それに対応する物理的アドレスとを調整する（Ｓ３３０）。
【００４６】
次いで，コントローラ２４０は，初期設定された記録可能な最大論理ブロックアドレス（Ｍａｘ  ＬＢＡ）から，上記領域情報で指定された領域の範囲に含まれるブロック数の１／２を引いた値に最大論理ブロックアドレスを変更する（Ｓ３４０）。本実施形態は，一例として，結合するトラック数を２に限定して説明しているが，もし，結合するトラック数が３つの場合には，上記ブロック数の２／３を引いた値に最大論理ブロックアドレスを変更する。この操作は，記録密度が変更される領域に含まれる，連続する複数のトラックのうち，データトラックに割り当てないトラックに含まれるブロック数を最大論理ブロック数から控除することに相当する。
【００４７】
すなわち，記録密度が変更される領域の開始論理ブロックアドレスが１００００であり，終了論理ブロックアドレスが２００００に設定された場合に，記録密度変更前のＬＢＡ  １００００〜２００００は，記録密度変更コマンドによって該当領域に含まれる２トラックの領域を結合して，１トラックに割り当てることによってＬＢＡ１００００〜１５０００に変換され，記録密度の変更によって記録可能な最大論理ブロックアドレス値は，Ｍａｘ  ＬＢＡ−５０００に変更される。
【００４８】
次いで，コントローラ２４０は，上記開始論理ブロックアドレス（Ｓｔａｒｔ  ＬＢＡ）および上記終了論理ブロックアドレス（Ｅｎｄ  ＬＢＡ）をＲＡＭ２６０にローディングさせる（Ｓ３５０）。
【００４９】
上記のプロセスによって，ユーザは，ディスクの記録密度を減らす特定領域を指定できる。
【００５０】
次いで，図４のフローチャートと図２のディスクドライブの構成図を参照し，本実施形態による，データ記録媒体の上記特定領域で記録密度を減少させてデータライトおよびデータリードを実行する方法について説明する。
【００５１】
コントローラ２４０は，ホストインターフェース２８０を通じてホスト機器からリードコマンドまたはライトコマンドが受信されているかを判断する（Ｓ４１０）。Ｓ４１０の判断結果，リードコマンドあるいはライトコマンドが受信されていなければ，プロセスは終了する。
【００５２】
Ｓ４１０の判断結果，リードコマンドまたはライトコマンドが受信されている場合に，コントローラ２４０は，上記開始論理ブロックアドレス（Ｓｔａｒｔ  ＬＢＡ）および上記終了論理ブロックアドレス（Ｅｎｄ  ＬＢＡ）情報をＲＡＭ２６０から判読する（Ｓ４２０）。
【００５３】
次いで，コントローラ２４０は，リードコマンドまたはライトコマンドと共に受信されたＬＢＡが，Ｓｔａｒｔ  ＬＢＡとＥｎｄ  ＬＢＡとの間に含まれているかを判断する（Ｓ４３０）。
【００５４】
Ｓ４３０の判断結果，リードコマンドまたはライトコマンドと共に受信されたＬＢＡが，Ｓｔａｒｔ  ＬＢＡとＥｎｄ  ＬＢＡとの間に含まれる場合には，コントローラ２４０は，図５に示すように２トラックの領域のうち１トラックのみをデータトラックに割り当てるようにＬＢＡを変更してから（Ｓ４４０），変更されたＬＢＡを物理的アドレスに変換させる（Ｓ４５０）。
【００５５】
コントローラ２４０は，Ｓ４５０で変換された物理的アドレス値に対応する目標トラックをシーク（ＳＥＥＫ）した後（Ｓ４６０），ディスク１２から／にデータを判読／記録するように制御する（Ｓ４７０）。
【００５６】
しかし，もし，Ｓ４３０の判断結果，リードコマンドまたはライトコマンドと共に受信されたＬＢＡがＳｔａｒｔ  ＬＢＡとＥｎｄ  ＬＢＡとの間に含まれていない場合に，コントローラ２４０は，記録密度を変更させずに正常なデータリードおよびデータライトプロセスを実行するように制御する（Ｓ４８０）。
【００５７】
本実施形態は，方法，装置，システムとして実行できる。ソフトウェアとして実行される時，本発明の構成手段は必然的に必要な作業を実行するコードセグメントである。プログラムまたはコードセグメントはプロセッサー判読可能媒体に保存され，または伝送媒体または通信網で搬送波と結合されたコンピュータデータ信号によって伝送できる。プロセッサー判読可能媒体は，情報を保存または伝送できるいかなる媒体も含む。プロセッサー判読可能媒体の例には，電子回路，半導体メモリ素子，ＲＯＭ，フラッシュメモリ，ＥＲＯＭ（Ｅｒａｓａｂｌｅ  ＲＯＭ），フロッピー（登録商標）ディスク，光ディスク，ハードディスク，光繊維媒体，無線周波数（ＲＦ）網，などがある。コンピュータデータ信号は，電子網チャンネル，光繊維，空気，電子系，ＲＦ網のような伝送媒体上に伝播できるいかなる信号も含まれる。
【００５８】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００５９】
例えば，上記の実施形態では，複数のトラック全体を所要の領域の範囲として指定し，記録密度が変更される過程を示したが，本発明にかかる実施形態としては，記録密度が変更される領域の範囲を必ずしもトラック全体とする必要はなく，セクター単位での指定が可能である。したがって，本発明にかかる他の実施形態としては，セクター単位で指定された，隣接する複数のトラックに跨る領域の範囲を指定し，該複数のトラックで，該領域の範囲に含まれる部分のみが結合され，記録領域を減少させる形態も可能である。
【産業上の利用可能性】
【００６０】
本発明は，データ記録媒体の記録密度可変方法，それを利用したディスクドライブ，記録密度の設定方法，およびデータ記録方法に適用可能である。
【図面の簡単な説明】
【００６１】
【図１】本実施形態が適用されるＨＤＤの構成の平面図である。
【図２】本実施形態によるデータ記録媒体の記録密度可変方法が適用されるディスクドライブの電気的な回路構成図である。
【図３】本実施形態によるデータ記録媒体の記録密度を変更させるための領域設定方法のフローチャートである。
【図４】本実施形態によるデータ記録媒体の記録密度可変方法のフローチャートである。
【図５】本実施形態による記録密度変更原理を説明するためのディスクのトラックを示す図面である。
【符号の説明】
【００６２】
１２  ディスク
１６  変換器
２６  ボイスコイル
２１０  プリアンプ
２２０  記録／判読チャンネル
２３０  バッファ
２４０  コントローラ
２５０  ＲＯＭ
２６０  ＲＡＭ
２７０  ＶＣＭ駆動部
２８０  ホストインターフェース
【図１】
2006139902.tif 000003
【図２】
2006139902.tif 000004
【図３】
2006139902.tif 000005
【図４】
2006139902.tif 000006
【図５】
2006139902.tif 000007